(57)【要約】      （修正有）【課題】カップホルダーの非使用時におけるアームレストの美観性と、カップホルダー使用時における利便性の両立を可能としたアームレスト装置を提供する。【解決手段】カップホルダー部１０に、常時露出される第１カップホルダー１１と、蓋体１７の開形態では露出され、閉形態では該蓋体１７で被蓋される第２カップホルダー１２を備える。カップホルダーを一個だけ使用する場合には蓋体１７を何ら操作せずに、第１カップホルダー１１を用いればよく、カップホルダー使用時における利便性が向上するとともに、不必要なカップホルダーは蓋体で被蓋され露出しないので、カップホルダー使用時における美観性が良好となる。また、カップホルダーを二個使用する場合には、蓋体１７を開いて第２カップホルダー１２を使用可能状態に露出させて第１カップホルダー１１とともに用いれば良く、使用上の利便性が確保される。【選択図】図２
2006143105.tif 000002
【特許請求の範囲】
【請求項１】
アームレスト（５）の先端部（５ｂ）にカップホルダー部（１０）を設けたアームレスト装置であって、
上記カップホルダー部（１０）に、使用可能な状態で常時露出される第１カップホルダー（１１）と、開閉可能な蓋体（１７）の開形態では使用可能な状態で露出され、閉形態では該蓋体（１７）で被蓋される第２カップホルダー（１２）が備えられていることを特徴とするアームレスト装置。
【請求項２】
請求項１において、
上記第１カップホルダー（１１）と第２カップホルダー（１２）が上記アームレスト（５）の長手方向に前後して配置されていることを特徴とするアームレスト装置。
【請求項３】
請求項２において、
上記第２カップホルダー（１２）の一部が上記蓋体（１７）側に形成されていることを特徴とするアームレスト装置。
【発明の詳細な説明】
【技術分野】
【０００１】
本願発明は、先端部にカップホルダーを設けたカップホルダー付きのアームレスト装置に関するものである。
【背景技術】
【０００２】
従来から、車両シート用のアームレスト装置において、アームレストにカップホルダーを備えることが行なわれており、例えば、アームレストの先端側の上面に常時二個のカップホルダーが使用可能状態で開口しているものとか（特許文献１参照）、アームレストの先端部に開閉可能な蓋体を設け、該蓋体の閉形態ではカップホルダーがアームレスト側に収納される一方、開形態では二個のカップホルダーが同時に使用可能に露出されるものとか（特許文献２、特許文献３参照）が知られている。
【０００３】
【特許文献１】米国特許第５１５０９４６号公報（図１〜図４）
【特許文献２】米国特許第６５４７３２６Ｂ１号公報（図１〜図３）
【特許文献３】特開２００１−２７０３７１号公報（段落「００１６」〜［００２３］、図２〜図４）。
【発明の開示】
【発明が解決しようとする課題】
【０００４】
ところが、特許文献１に示されるように、アームレストの先端側の上面に常時二個のカップホルダーが使用可能状態で露出しているものにおいては、カップホルダーの使用に際しては何ら格別の操作を行う必要がないことから便利であるものの、カップホルダーを使用しないときにも二個のカップホルダーが露出したままであるので美観性が損なわれるという問題がある。
【０００５】
また、特許文献２及び特許文献３に示されるように、アームレストの先端部に開閉可能な蓋体を設け、該蓋体の閉形態ではカップホルダーがアームレスト側に収納される一方、開形態では二個のカップホルダーが使用可能に露出されるものでは、カップホルダーを使用しないときには該蓋体によってカップホルダーが被蓋されて外部に露出しないので美観性は良好であるものの、カップホルダーの使用に際しては、その度に蓋体を開閉操作する必要があり使用上不便であるとともに、該蓋体を開いたときには、例え一個のカップホルダーしか必要としない場合でも必ず二個のカップホルダーが同時に露出されることから、使用しないカップホルダーの存在によって美観性が損なわれるという問題がある。
【０００６】
そこで本願発明では、カップホルダーの非使用時におけるアームレストの美観性と、カップホルダー使用時における利便性の両立を可能としたアームレスト装置を提供することを目的としてなされたものである。
【課題を解決するための手段】
【０００７】
本願発明ではかかる課題を解決するための具体的手段として次のような構成を採用している。
【０００８】
本願の第１の発明では、アームレスト５の先端部５ｂにカップホルダー部１０を設けたアームレスト装置において、上記カップホルダー部１０に、使用可能な状態で常時露出される第１カップホルダー１１と、開閉可能な蓋体１７の開形態では使用可能な状態で露出され、閉形態では該蓋体１７で被蓋される第２カップホルダー１２を備えたことを特徴としている。
【０００９】
本願の第２の発明では、上記第１の発明に係るアームレスト装置において、上記第１カップホルダー１１と第２カップホルダー１２を上記アームレスト５の長手方向に前後して配置したことを特徴としている。
【００１０】
本願の第３の発明では、上記第２の発明に係るアームレスト装置において、上記第２カップホルダー１２の一部を上記蓋体１７側に形成したことを特徴としている。
【発明の効果】
【００１１】
本願発明では次のような効果が得られる。
【００１２】
（ａ）本願の第１の発明に係るアームレスト装置によれば、アームレスト５の先端部５ｂにカップホルダー部１０を設けたアームレスト装置において、上記カップホルダー部１０に、使用可能な状態で常時露出される第１カップホルダー１１と、開閉可能な蓋体１７の開形態では使用可能な状態で露出され、閉形態では該蓋体１７で被蓋される第２カップホルダー１２を備えているので、カップホルダーを一個だけ使用する場合には上記蓋体１７を何ら操作することなく、常時露出している上記第１カップホルダー１１を用いればよいことから、例えば、特許文献２及び特許文献３に示されるもののようにカップホルダーの使用の度に蓋体の開閉操作を必要とするものに比して、カップホルダー使用時における利便性が向上するとともに、不必要なカップホルダー（即ち、第２カップホルダー１２）は蓋体で被蓋され露出しないので、特許文献１に示されるように必要なカップホルダーと共に不必要なカップホルダーも同時に露出されるものに比して、カップホルダー使用時における美観性が良好となる。
【００１３】
一方、カップホルダーを二個使用する場合には、上記蓋体１７を開いて上記第２カップホルダー１２を使用可能状態に露出させて上記第１カップホルダー１１とともに用いれば良く、使用上の利便性が確保される。
【００１４】
（ｂ）本願の第２の発明に係るアームレスト装置によれば、上記（ａ）に記載の効果に加えて次のような特有の効果が得られる。即ち、この発明では、上記第１カップホルダー１１と第２カップホルダー１２を上記アームレスト５の長手方向に前後して配置しているので、例えば、上記アームレストの幅寸法が比較的小さい場合でも上記各カップホルダー１１，１２を配置することができるとともに、各カップホルダー１１，１２の径寸法を大きくとって大型カップの使用に供することも可能である。
【００１５】
（ｃ）本願の第３の発明に係るアームレスト装置によれば、上記（ｂ）に記載の効果に加えて次のような特有の効果が得られる。即ち、この発明では、上記第２カップホルダー１２の一部を上記蓋体１７側に形成しているので、例えば、特許文献１に示されるように、アームレスト５側に上記各カップホルダー１１，１２を配置する構成に比して、該アームレスト５における上記各カップホルダー１１，１２の占有スペースが小さくなり（換言すれば、アームレスト５における肘当て面積を広くとれ）、該アームレスト５の本来的機能が良好に維持される。
【発明を実施するための最良の形態】
【００１６】
以下、本願発明を好適な実施形態に基づいて具体的に説明する。
【００１７】
図１及び図２には、本願発明の実施形態に係るアームレスト装置４を示している。このアームレスト装置４は、例えば、車両用のシート１のシートバック３に設けた収納凹部３ａに上下方向へ回動可能に取付けられたアームレスト５と、該アームレスト５の先端側に設けられたカップホルダー部１０を備えて構成される。
【００１８】
上記アームレスト５は、図１に実線図示するように該収納凹部３ａからシートクッション２側へ延出した展開姿勢と、鎖線図示するように上記収納凹部３ａ内に収納された収納姿勢の二つの姿勢を選択可能とされ、展開姿勢に姿勢設定された上記アームレスト５の上面を肘当て部として機能させるようになっている。
【００１９】
また、上記カップホルダー部１０は、図１に示す第１の使用形態と図２に示す第２の使用形態の間で形態変化自在とされている。尚、上記第１の使用形態は第１カップホルダー１１のみが上記アームレスト５の上面側に露出した形態であり、上記第２の使用形態は上記第１カップホルダー１１の外に、第２カップホルダー１２が露出した形態である。
【００２０】
以下、図３及び図４を参照して、上記アームレスト５及びカップホルダー部１０の具体的構成及び作用効果等を説明する。
【００２１】
上記アームレスト５は、略長矩形の外観形態をもち、その基端部５ａには該アームレスト５を短軸方向に貫通した状態で枢支軸６が設けられるとともに、該枢支軸６には、上記アームレスト５の左右両側寄り部位にそれぞれ配置されたフレーム材８、８の一端が固定されている。また、上記アームレスト５の他端部５ｂには、図３に示すように、その上面から下面側に向かって凹入するとともに該アームレスト５の先端面上に開口する略矩形の凹部７が形成されている。
【００２２】
一方、上記左右一対のフレーム材８，８の先端部は、上記凹部７をその上下方向の中段部においてその幅方向の両側から挟むように配置されている。そして、この左右一対のフレーム材８，８の先端部間には、その両端部がそれぞれ該フレーム材８，８に固定されるとともに、その中間部分が上記凹部７の内壁に沿うように折曲成形されたブラッケット１５が取付けられている。このブラッケット１５を介して、次述のカップホルダー部１０が上記アームレスト５に取付けられている。
【００２３】
上記カップホルダー部１０は、ホルダー本体部１６と蓋体１７を備えて構成される。上記ホルダー本体部１６は、上記アームレスト５の上記凹部７部分に埋設配置されるものであって、上記凹部７の内周側を取り巻くように延設された周壁１８と該周壁１８の上端に連続して設けられて上記凹部７の周縁部分を上方から覆うように上記アームレスト５の上面に衝合される天壁１９を備えるとともに、上記凹部７の奥部寄り（即ち、上記アームレスト５の基端部５ａ寄り）の部位には上記天壁１９から下方へ逆円錐台状に陥没した第１カップホルダー１１が設けられている。
【００２４】
さらに、上記アームレスト５の上記凹部７の開口縁寄り（即ち、上記アームレスト５の先端部５ｂ寄り）の部位には、略半円状の平面形状をもち、且つ上記天壁１９から所定寸法（具体的には、次述する蓋体１７の壁厚に相当する寸法）だけ低い位置から下方へ逆円錐台状に陥没した第１弧面部２１が形成されるとともに、該第１弧面部２１と上記第１カップホルダー１１の間にはこれら両者を連続させる開溝１３が設けられている。
【００２５】
このように構成された上記ホルダー本体部１６は、上記アームレスト５の上記凹部７部分に上方から嵌合されるとともに、該ホルダー本体部１６の上記周壁１８に設けた掛止部１４を、該周壁１８に近接対向する上記ブラッケット１５側に設けた掛止孔２０に掛止させることで上記アームレスト５側に固定される。
【００２６】
一方、上記蓋体１７は、略Ｌ字形に折曲した前壁１７ａと該前壁１７ａの左右両縁に連続する略Ｌ字形の平面形状をもつ側壁１７ｂ、１７ｂを備えて構成されるとともに、その内部には多数のリブ２３によって略半円状の内面を形成した第２弧面部２２が設けられている。
【００２７】
さらに、上記蓋体１７の左右の側壁１７ｂ、１７ｂの前端部位には、所定曲率をもって略９０°に湾曲延出するガイド溝２６，２６が設けられている。従って、上記蓋体１７は、上記各ガイド溝２６，２６の曲率中心位置を、上記ホルダー本体部１６の先端部両側に同軸状に設けた左右一対の連結軸２５，２５に支承させることで、該連結軸２５，２５回りに回転自在とされる。
【００２８】
そして、上記蓋体１７は、図３及び図４に実線図示するように、上記連結軸２５が上記ガイド溝２６の一端側に位置し、且つ上記ホルダー本体部１６の前端から前方側へ延出して上記第２弧面部２２が上方へ露出した開形態と、同各図に鎖線図示するように上記連結軸２５が上記ガイド溝２６の他端側に位置し、且つ上記ホルダー本体部１６の前端部分を上方及び前方から同時に被蓋する閉形態の両形態に選択的に位置決めされる。
【００２９】
上記蓋体１７の開形態においては、図２及び図４に示すように、上記第１カップホルダー１１が露出するとともに、上記ホルダー本体部１６の上記第１弧面部２１と上記蓋体１７側の上記第２弧面部２２が対向して第２カップホルダー１２が形成され、且つこれが露出している。従って、この蓋体１７の開形態においては、上記アームレスト５の上面に上記第１カップホルダー１１と第２カップホルダー１２の二つが同時に露出し、共に使用可能とされる。
【００３０】
一方、上記蓋体１７の閉形態においては、図１及び図４に鎖線図示するように、該蓋体１７によって上記第２カップホルダー１２が被蓋され、上記アームレスト５上には上記第１カップホルダー１１のみが露出される。
【００３１】
この実施形態のアームレスト装置４においては、以上のような構成であることから、以下のような作用効果が得られる。
【００３２】
このアームレスト装置４は、アームレスト５の先端部５ｂに設けたカップホルダー部１０に、使用可能な状態で常時露出される第１カップホルダー１１と、開閉可能な上記蓋体１７の開形態では使用可能な状態で露出され、閉形態では該蓋体１７で被蓋される第２カップホルダー１２を備えている。
【００３３】
このため、カップホルダーを一個だけ使用する場合には、上記蓋体１７を何ら操作することなく、常時露出している上記第１カップホルダー１１を用いれば良く、例えば、従来のようにカップホルダーの使用の度に蓋体の開閉操作を必要とするものに比して、カップホルダー使用時における利便性が向上する。また、この場合、不必要なカップホルダー（即ち、第２カップホルダー１２）は上記蓋体１７で被蓋され露出していないので、例えば、従来のように、必要なカップホルダーと共に不必要なカップホルダーも同時に露出される場合に比して、カップホルダー使用時における美観性が良好となる。
【００３４】
これに対して、カップホルダーを二個使用する場合には、上記蓋体１７を開いて上記第２カップホルダー１２を使用可能状態に露出させ、これを上記第１カップホルダー１１とともに用いれば良く、使用上の利便性が確保される。
【００３５】
一方、このアームレスト装置４では、上記第１カップホルダー１１と第２カップホルダー１２を上記アームレスト５の長手方向に前後して配置しているので、例えば、上記アームレストの幅寸法が比較的小さい場合でも上記各カップホルダー１１，１２を配置することができる。また、上記各カップホルダー１１，１２の径寸法を上記アームレスト５の幅寸法内で大きくとることで、例えば、二個のカップホルダーを上記アームレスト５の幅方向に並設する場合に比して、より大型のカップの使用に供し得るカップホルダーを設けることができる。
【００３６】
さらに、上記第２カップホルダー１２の一部を上記蓋体１７側に形成しているので、例えば、従来のように、アームレスト５側に上記各カップホルダー１１，１２を全て配置する構成に比して、該アームレスト５における上記各カップホルダー１１，１２の占有スペースが小さくなり（換言すれば、アームレスト５における肘当て面積を広くとれ）、該アームレスト５の本来的機能が良好に維持される。
【図面の簡単な説明】
【００３７】
【図１】本願発明の実施の形態に係るアームレスト装置において、カップホルダーを通常形態に設定した状態を示す斜視図である。
【図２】本願発明の実施の形態に係るアームレスト装置において、カップホルダーを展開形態に設定した状態を示す斜視図である。
【図３】アームレスト装置の平面図である。
【図４】図３のＩＶ−ＩＶ矢視図である。
【符号の説明】
【００３８】
１      ・・シート
２      ・・シートクッション
３      ・・シートバック
４      ・・アームレスト装置
５      ・・アームレスト
６      ・・枢支軸
７      ・・凹部
８      ・・フレーム材
１０    ・・カップホルダー部
１１    ・・第１カップホルダー
１２    ・・第２カップホルダー
１３    ・・開溝
１４    ・・掛止部
１５    ・・ブラッケット
１６    ・・ホルダー本体部
１７    ・・蓋体
１８    ・・周壁
１９    ・・天壁
２１    ・・第１弧面部
２２    ・・第２弧面部
２３    ・・リブ
２５    ・・連結軸
２６    ・・ガイド溝
２７    ・・係合ピン
【図１】
2006143105.tif 000003
【図２】
2006143105.tif 000004
【図３】
2006143105.tif 000005
【図４】
2006143105.tif 000006